(57)【特許請求の範囲】
【請求項１】
着物の胴体部に巻かれた輪状の帯を挟み、折り畳んで該帯に着脱可能に取り付けられる着物用の着脱式飾部であって、背中側の該胴体部と該帯の間に挟み込まれる下飾部と、該下飾部に連設するとともに該帯の外側に位置する上飾部と、対向する該下飾部の下端と該上飾部の下端とを連結する手段とを備えることを特徴とする着物用の着脱式飾部。
【請求項２】
上記上飾部は、帯生地を複数枚重ねて縫製してなることを特徴とする、請求項１に記載の着物用の着脱式飾部。
【請求項３】
上記下飾部の上部に縫製或いは着脱可能に固定され、上記飾部の上部の形状を保持する一体帯枕を備えることを特徴とする、請求項１又は請求項２に記載の着物用の着脱式飾部。
【請求項４】
上記下飾部の上部に固定された一体帯揚げを備えることを特徴とする、請求項１又は請求項２に記載の着物用の着脱式飾部。
【請求項５】
上記一体帯揚げは、帯枕を包み左右に突出した帯揚げと、該帯揚げの左右の突出部に係止具を設けることを特徴とする、請求項４に記載の着物用の着脱式飾部。
【請求項６】
上記帯揚げは、ゴムバンドからなることを特徴とする、請求項５に記載の着物用の着脱式飾部。
【請求項７】
上記上飾部と上記下飾部との間であって、上記上飾部又は上記下飾部に固定された収納部を設けることを特徴とする、請求項１ないし請求項６のいずれか１項に記載の着物用の着脱式飾部。
【請求項８】
上記収納部は、開閉可能なネットであることを特徴とする、請求項７に記載の着物用の着脱式飾部。
【請求項９】
上記下飾部の内部にクッション材を配置することを特徴とする、請求項１ないし請求項８のいずれか１項に記載の着物用の着脱式飾部。
【請求項１０】
上記対向する下飾部の下端と上飾部の下端とを連結する手段は、面ファスナーであることを特徴とする、請求項１ないし請求項９のいずれか１項に記載の着物用の着脱式飾部。
【発明の詳細な説明】
【技術分野】
【０００１】
本発明は、着物用の着脱式飾部に関する。
【背景技術】
【０００２】
飾部を備えた着物用の簡易帯として、これまで多数の提案がなされている。
例えば、特許文献１では、飾部となる太鼓部分が、簡易帯の端部に設けられており、この太鼓部分を背にして簡易帯本体を身体の胴部分に巻き付け、ベルベット式ファスナーを係止することにより装着できる簡易帯が提案されている。
特許文献１に開示の簡易帯では、飾部となる太鼓部分の着脱が困難であった。
【０００３】
また、例えば特許文献２では、着脱可能に形成された帯結び部分を有する飾部を胴部分に巻き付け、ベルベット式ファスナーを係止することにより装着できる簡易帯が提案されている。
特許文献２に開示の簡易帯では、お太鼓等の飾部の着脱について考慮されていないため、帯結び部分が着脱可能であるのみであって、本物の帯のような外観を呈することはできなかった。
【先行技術文献】
【特許文献】
【０００４】
【特許文献１】特開２０００−１７００２２号公報
【特許文献２】特開２００６−２８６７５号公報
【発明の概要】
【発明が解決しようとする課題】
【０００５】
本発明は、胴体部に巻かれた輪状の帯に簡単に装着でき、本物の帯のような外観を呈することのできる着物用の着脱式飾部を提供することを課題とする。
【課題を解決するための手段】
【０００６】
本発明の課題を解決するための手段は、次のとおりである。
（１）着物の胴体部に巻かれた輪状の帯を挟み、折り畳んで帯に着脱可能に取り付けられる着物用の着脱式飾部であって、背中側の胴体部と帯の間に挟み込まれる下飾部と、下飾部に連設するとともに帯の外側に位置する上飾部と、対向する下飾部の下端と上飾部の下端とを連結する手段とを備えることを特徴とする着物用の着脱式飾部。
（２）上記上飾部は、帯生地を複数枚重ねて縫製してなることを特徴とする、（１）に記載の着物用の着脱式飾部。
（３）上記下飾部の上部に縫製或いは着脱可能に固定され、上記飾部の上部の形状を保持する一体帯枕を備えることを特徴とする、（１）又は（２）に記載の着物用の着脱式飾部。
（４）上記下飾部の上部に固定された一体帯揚げを備えることを特徴とする、（１）又は（２）に記載の着物用の着脱式飾部。
（５）上記一体帯揚げは、帯枕を包み左右に突出した帯揚げと、帯揚げの左右の突出部に係止具を設けることを特徴とする、（４）に記載の着物用の着脱式飾部。
（６）上記帯揚げは、ゴムバンドからなることを特徴とする、（５）に記載の着物用の着脱式飾部。
（７）上記上飾部と上記下飾部との間であって、上記上飾部又は上記下飾部に固定された収納部を設けることを特徴とする、（１）ないし（６）のいずれかに記載の着物用の着脱式飾部。
（８）上記収納部は、開閉可能なネットであることを特徴とする、（７）に記載の着物用の着脱式飾部。
（９）上記下飾部の内部にクッション材を配置することを特徴とする、（１）ないし（８）のいずれかに記載の着物用の着脱式飾部。
（１０）上記対向する下飾部の下端と上飾部の下端とを連結する手段は、面ファスナーであることを特徴とする、（１）ないし（９）のいずれかに記載の着物用の着脱式飾部。
【発明の効果】
【０００７】
本発明によれば、着物の胴部に巻きつけた輪状の帯に簡易に装着して、本物の帯のような外観を呈することができる着物用の着脱式飾部が得られる。
また、飾部に収納部を設けることにより、オムツ、その他小物の収納が可能になる。さらに、収納部の内部にタオル等のクッション材を詰めることにより、飾部を盛り上げたり、飾部の装着に際し、身体に対するクッション作用が得られる。
【図面の簡単な説明】
【０００８】
【図１】本発明の第１の実施例に係る、お太鼓形状の着脱式飾部の説明図である。
【図２】本発明の第１の実施例に係る、お太鼓形状の着脱式飾部のＡ−Ａ’断面図である。
【図３】本発明の第１の実施例に係る、お太鼓形状の着脱式飾部の装着方法の説明図である。
【図４】本発明の第２の実施例に係る、お太鼓形状の着脱式飾部の説明図である。
【図５】本発明の第３の実施例に係る、お太鼓形状の着脱式飾部の説明図である。
【図６】本発明の第４の実施例に係る、お太鼓形状の着脱式飾部の説明図である。
【発明を実施するための形態】
【０００９】
着物の帯は、一本の帯生地を胴に巻き付けた部分と、帯生地の両端を背面で立体的形状に結い揚げた飾部からなり、別体の帯板、帯枕、帯揚げ、帯締めとともに使用される。
【００１０】
お太鼓帯は、帯生地を着物の上で胴部に巻き付け、帯生地の両端を折り重ねて結った飾部を背中側に一体に備える。帯板は帯の形状を保持するため、帯の間に配置される板である。
帯揚げは、太鼓部内に配置され帯枕を包み、帯に沿って巻き、腹部側で両端部が結ばれ、帯上部からその一部が見られるように、帯の間に挟み込み、帯と着物の柄を調和させるとともに、お太鼓の形状を保持する。
帯締めは、帯を固定するため紐等で、お太鼓部を通し、帯の上下方向中央部で帯に沿って巻き付け、腹部側で結ばれる。
【００１１】
本発明では、飾部のない帯と、飾部のない帯に固定した帯締め及び帯揚げを、まとめて帯部と呼ぶ。なお、帯板を含む場合もある。
また、着脱式飾部は、背中に近い部分を下飾部と呼び、背中から遠く表から視認できる立体形状の部分を上飾部と呼ぶ。上飾部は、結い、重ね、縫製等で、立体形状を演出すれば、いずれの手段で立体的な形状を保持してもよい。
着脱式飾部は、着脱式飾部の下飾部を背中側の胴体部と帯との間に挟み込むことにより、帯に装着される。
【００１２】
帯、飾部の素材としては、従来の帯素材、被服に用いる素材全般を採用することができ、例えば革、レース編みなど、特に制限はない。
帯、飾部を革で形成すれば、従来にない斬新な着物を提供することができ、着物文化の改革、発展、海外展開に大きく貢献することとなる。
【００１３】
（実施例１）
本発明に係る着物用の着脱式飾部の第１の実施例として、図１ないし図３に示す着脱式お太鼓を例示して詳細に説明する。
着脱式お太鼓１２は、飾部１２ａと、一体帯枕１３と、ネット１４とからなる。
飾部１２ａは、図２に示すように、一本の帯生地を折り重ね、縫製して形状を保持するもので、着脱式飾部の下飾部１２ｄは背中側の胴体部と帯との間に挟み込まれる。
【００１４】
上飾部１２ｅは、下飾部１２ｄに連設するとともに帯生地を複数枚重ねて縫製してなり、帯部６の外側に位置する。
下飾部１２ｄと上飾部１２ｅの下端同士は、帯６ａを挟持後、それぞれに設けられた連結具、例えば面ファスナー１２ｆにより相互に連結される。
そして、これにより、従来の帯と一体に折り重ねて形成させるお太鼓を、帯から分離して、帯部６に着脱可能に取り付け可能となる。
【００１５】
上飾部１２ｅの側面からは、従来のお太鼓結び同様、テ１２ｃを突出させ、下飾部１２ｄの下端は、上飾部１２ｅから突出し、視認できるタレ１２ｇを形成すると、本物の帯のような外観になる。
テ１２ｃは、上飾部１２ｅと一体でもよいし、別体で縫製して保持してもよい。
下飾部１２ｄの内部には、クッション材１２ｈを配置することにより、飾部１２ａの形状保持と、緩衝性が得られる。
【００１６】
上飾部１２ｅと下飾部１２ｄとの連結部分の両端は、三角形状に内側に折り返し、縫製して、着脱式お太鼓１１の上部湾曲形状を保持するとよい。折り返して縫製した部分を折込部１２ｂという。折込部１２ｂの折り返し線は、背中側の上部付近で上飾部１２ｅ方向からは視認できない位置にするとよい。
【００１７】
一体帯枕１３は、帯枕１３ｂと帯枕１３ｂを包み下飾部１２ｄの上部に縫製等或いは着脱可能に固定した帯揚げ１３ａとからなり、飾部１２ａ上部の形状を保持する。帯揚げ１３ａの両端は、下飾部１２ｄと返部１２ｎの間に縫製等で固定すると見栄えがよい。
帯枕１３ｂに代えて、折り畳み傘を取り出し可能に帯揚げ１３ａに収納し、飾部１２ａの形状を保持してもよい。また、飾部１２ａ内の帯揚げ部分を収納部とし、飾部１２ａの形状を保持することができる物品を収納しておくこともできる。
【００１８】
ネット１４は、図２に示すように、上部開口の両内側に面ファスナー１４ｂ等の密着構造を備え、下飾部１２ｄに固定される。一体帯枕１３は、面ファスナー１４ｂの上側を軸に対して上下に回動可能で、上方に回動して、ネット１４の上部開口が外部に露出可能になっている。
ネット１４には、例えば、オムツ１５など、介護、小物を収納することができる。ネットに代えて、袋状物を用いてもよい。
開口の開閉手段は、面ファスナー１４ｂの他に、チャックなどでもよく、また開口は上部でなく側面に設けてもよい。
【００１９】
これにより、これまでデットスペースであった飾部１２ａの内側に、ここでは上飾部１２ｅと下飾部１２ｄとの間に、物品を収納することができる収納部を設けることが可能となる。
さらに、この収納部は、飾部１２ａの圧迫変形を防止することにも資する。ネット１４の内部収納物を出し入れするときは、上飾部１４ｄを下飾部１４ｅから引き上げて外し、開口を開閉すればよい。
【００２０】
図３を参照して、着脱式お太鼓１２の装着方法について説明する。
図３において、１は簡易着付け式着物であり、２が上身頃、３が衿部、３ｇが襟部３の連結部分を覆う衿カバー、４が左袖部、５が右袖部、６が着物１の胴部分に備えられた帯部、６ａが輪状に巻かれた帯、７ａが上前身頃、７ｂが下前身頃、７ｉが開口、７ｈが連結部材である。
【００２１】
先ず図３（Ａ）に示すように、帯部６を着物１に装着した後に、上飾部１２ｅ、下飾部１２ｄを開き、図３（Ｂ）に示すように、背部１２ｋ側を背中側に位置させ、下飾部１２ｄを上身頃２と帯６ａの間に挿入する。
そして、図３（Ｃ）に示すように、上飾部１２ｅを下げ、面ファスナー１２ｆ同士で、上飾部１２ｅ及び下飾部１２ｄのそれぞれの下端を連結することで、帯６ａに係止する。その結果、着脱式お太鼓１２で、従来のお太鼓結びのような立体形状を、簡易に帯６ａに係止することができる。
【００２２】
なお、ここでは、着物１は簡易着付け式着物としたが、従来の着物、帯であっても、着脱式お太鼓１２を用いることができる。
また、帯６ａの両端は、三角形に切り落とした切欠き６ｒとすると、帯６ａの両端の連結手段は左右１箇所でよく、狭い箇所での連結でも両端を連結し易い。
【００２３】
第１の実施例によれば、着物１の胴部に巻きつけた輪状の帯６ａに簡易に装着して、お太鼓を備えた本物の帯のような外観を呈することができる。また、収納部としてのネット１４を設けたことにより、オムツ、その他小物の収納が可能になる。
なお、説明の都合上、車椅子用簡易着付け式着物１に対して、椅子に腰掛けて装着する場面を用いたが、本発明の適用はこれに限定されるものではない。
【００２４】
（実施例２）
図４を参照して、本発明に係る着物用の着脱式飾部の第２の実施例である、着脱式お太鼓１６について説明する。本実施例は、着脱式お太鼓１２のネット１４を、折り重ねて形成した上飾部１２ｅの間に固定し、ネット１４ａとし、収納部としたもので、他の構成は、着脱式お太鼓１２と同じである。
【００２５】
図４（Ａ）は、着脱式お太鼓１６の上飾部１２ｅを上に持ち上げたときの背面側からの説明図である。
また、図４（Ｂ）は、上飾部１２ｅを下げ、面ファスナー１２ｆ同士で、上飾部１２ｅと下飾部１２ｄとを連結した際の上飾部１２ｅからみた説明図であり、図４（Ｃ）は、図４（Ｂ）の状態での右側面説明図である。
【００２６】
ネット１４ａは、側面にチャック１４ｃを設けて側面開閉式とした。ネット１４ａであれば、上飾部１２ｅの開閉が必要なく、収納物のネット１４ａへの出し入れが、ネット１４より容易である。ネット１４ａに替え、上飾部１２ｅの両サイドのみにネットを貼って、側面でチャック１４ｃ開閉式としてもよい。
【００２７】
（実施例３）
図５を参照して、本発明に係る着物用の着脱式飾部の第３の実施例である、着脱式お太鼓１２ｐについて説明する。
本実施例は、着脱式お太鼓１２の一体帯枕１３を、一体帯揚げ１７に置換したものである。その他の構成については、着脱式お太鼓１２と同様である。
【００２８】
図５（Ａ）は、着脱式お太鼓１２ｐの上飾部１２ｅを上に持ち上げたときの背面側からの説明図である。
また、図５（Ｂ）は、図５（Ａ）の状態で背部１２ｋ側からの説明図であり、図５（Ｃ）は、着脱式お太鼓１２ａの上飾部１２ｅを下げ、面ファスナー１２ｆ同士で、上飾部１２ｅ及び下飾部１２ｄのそれぞれの下端を連結したときの上飾部１２ｅからみた説明図である。
【００２９】
一体帯揚げ１７は、図示しない帯枕１３ｂと帯枕１３ｂを包み下飾部１２ｄに固定されるとともに左右に突出した帯揚げ１７ａと、帯揚げの左右突出部に縫製されるとともに両端にバックル１７ｅ、１７ｄ等の係止具を設けたゴムバンド１７ｂ、１７ｂからなる。
【００３０】
帯揚げ１７ａの左右の長さは、胴部を一周巻ける程度からジャバラ状等で余裕をもってゴムバンド１７ｂに縫製線１７ｃにより縫製する。
ゴムバンド１７ｂの一端は、ここでは、下飾部１２ｄに折り返された帯生地端部である返部１２ｎに縫製されている。背側に縫製されているため、装着時には、ゴムバンド１７ｂの端部は視認されない。
【００３１】
なお、ゴムバンド１７ｂの端部を下飾部１２ｄと返部１２ｎの間に縫製すると見栄えが良い。
ゴムバンド１７ｂを用いることで、使用に際して伸縮し、大多数の体格をカバーするウエストサイズフリーの一体帯揚げ１７にすることができる。
【００３２】
このようにしてなる一体帯揚げ１７は、胴部に巻き、正面側でバックル１７ｅ、１７ｄを連結し、連結されたバックル１７ｅ、１７ｄを帯の間に挿入し隠すことで、従来の帯枕、帯揚げのような機能を発揮するとともに、帯揚げを用いている外観となる上、装着が極めて簡易である。
【００３３】
（実施例４）
図６を参照して、本発明に係る着物用の着脱式飾部の第４の実施例である、着脱式お太鼓１８について説明する。
本実施例は、着脱式お太鼓１２ｐの一体帯揚げ１７を一体帯揚げ１９に置換したものである。その他の構成については、着脱式お太鼓１２ｐと同様である。
【００３４】
図６（Ａ）は、着脱式お太鼓１８の上飾部１２ｅを上に持ち上げたときの背面側からの説明図である。
また、図６（Ｂ）は、（Ａ）の状態で背部１２ｋ側からの説明図であり、図６（Ｃ）は、着脱式お太鼓１８の上飾部１２ｅを下げ、面ファスナー１２ｆ同士で、上飾部１２ｅ及び下飾部１２ｄのそれぞれの下端を連結したときの上飾部１２ｅからみた説明図である。
【００３５】
一体帯揚げ１９は、図示しない帯枕１３ｂと帯枕１３ｂを包み下飾部１２ｄに固定されるとともに左右に突出した帯揚げ１９ａと、帯揚げ１９ａの左右突出部に縫製され、かつ両端にバックル１９ｅ、１９ｄ等の係止具を設けるとともに、背部１２ｋ側に位置する一本のゴムバンド１９ｂと、ゴムバンド１９ｂの長さを調節する調節部１９ｃと、下飾部１２ｄの背部１２ｋ側に固定されゴムバンド１９ｂを係止する固定部１２ｍとからなる。
固定部１２ｍは、例えば、背部１２ｋの上部の左右に固定される二つ輪で、内部にゴムバンド１９ｂを挿通する。
【００３６】
ゴムバンド１９ｂを用いることで、使用に際して伸縮し、さらに調節部１９ｃで長さが可変となるので、一体帯揚げ１７よりも、一層大多数の体格をカバーするウエストサイズフリーの一体帯揚げ１９になる。
使用方法は、一体帯揚げ１７と同様に、胴部に巻き、正面側でバックル１９ｅ、１９ｄを連結し、連結されたバックル１９ｅ、１９ｄを帯の間に挿入し隠す。
【００３７】
以上、本明細書に開示した実施例は、本発明に係る、着物用の着脱式飾部の理解を容易にするために例示したものであって、本発明はこれに限定されるものではない。
すなわち、本発明は、特許請求の範囲を逸脱しない限り、着物用の着脱式飾部の設計に当たって、適宜の設計変更が可能であることは言うまでもないことである。
【符号の説明】
【００３８】
１      簡易着付け式着物
２      上身頃
３      衿部
３ｇ    カバー
４      左袖部
５      右袖部
５ａ    縫線
６      帯部
６ａ    帯
６ｒ    切欠き
７      下身頃
７ａ    下前身頃
７ｂ    下後身頃
７ｈ    下連結部材
７ｉ    下開口
１２    着脱式お太鼓
１２ａ  飾部
１２ｂ  折込部
１２ｃ  テ
１２ｄ  下飾部
１２ｅ  上飾部
１２ｆ  面ファスナー
１２ｇ  タレ
１２ｈ  クッション材
１２ｋ  背部
１２ｍ  固定部
１２ｎ  返部
１２ｐ  着脱式お太鼓
１３    一体帯枕
１３ａ  帯揚げ
１３ｂ  帯枕
１４    ネット
１４ａ  ネット
１４ｂ  面ファスナー
１４ｃ  チャック
１５    オムツ
１６    着脱式お太鼓
１７    一体帯揚げ
１７ａ  帯揚げ
１７ｂ  ゴムバンド
１７ｃ  縫製線
１７ｄ  バックル
１７ｅ  バックル
１８    着脱式お太鼓
１９    一体帯揚げ
１９ａ  帯揚げ
１９ｂ  ゴムバンド
１９ｃ  調節部
１９ｄ  バックル
１９ｅ  バックル
【図１】
0006286628.tif 000002
【図２】
0006286628.tif 000003
【図３】
0006286628.tif 000004
【図４】
0006286628.tif 000005
【図５】
0006286628.tif 000006
【図６】
0006286628.tif 000007